(57)【要約】【課題】少ない部品点数で接続部品を筐体内に保持する。【解決手段】第１の筐体１におけるＬＡＮコネクタ１１の装着部に第１の突起部１１ｆ及び第２の突起部１１ｇを備えたことにより、ＬＡＮコネクタ１１を保持する第１の爪部１２ａ及び第２の爪部１２ｂの弾性変形を規制することができる。よって、第１の筐体１に対して外力が印加されたとしても、第１の突起部１１ｆ及び第２の突起部１１ｇによって第１の爪部１２ａ及び第２の爪部１２ｂの弾性変形が規制されるため、ＬＡＮコネクタ１１がコネクタホルダー１２から離脱することがほとんどない。したがって、第１の筐体１に第１の突起部１１ｆ及び第２の突起部１１ｇを設けるという簡単な構成で、ＬＡＮコネクタ１１をコネクタホルダー１２へ安定して保持することができる。【選択図】図３
2011198564.tif 000002
【特許請求の範囲】
【請求項１】
筐体と、
電気接点を備えた接続部品と、
前記接続部品を保持し、前記筐体に固定される保持部材とを備え、
前記保持部材は、前記接続部品を配置可能な空間を有し、前記空間を挟んで互いに対向するように一対の係合部を備え、
前記一対の係合部は、弾性変形可能であり、
前記筐体は、前記一対の係合部間の間隙が拡大する方向への前記一対の係合部の変形を規制する規制部を備えた、電子機器。
【請求項２】
前記規制部は、前記一対の係合部間の間隙が、前記接続部品の幅寸法よりも大きくならないように変形を規制する、請求項１記載の電子機器。
【発明の詳細な説明】
【技術分野】
【０００１】
本発明は、電子機器に関する。
【背景技術】
【０００２】
近年、ノートパソコンなどの電子機器は、ＵＳＢ端子（USB:Universal Serial Bus）やＬＡＮ端子（LAN:Local Area Network）などの各種端子を備えている。これらの端子（コネクタ）をノートパソコンの筐体内に保持するための構成としては様々な構成がある。例えば、特許文献１及び２に開示された構成を応用して、筐体内に端子（コネクタ）を保持させることができる。
【０００３】
特許文献１は、情報コンセントを、壁面内に埋め込み設置する埋め込みボックスと、電気信号を伝送する第一の信号線の先端に設けられたモジュラープラグを差し込む差し込み口及び、レバーを回動することにより第二の信号線を圧接する成端部を有して第一の信号線と第二の信号線とを電気的に接続するモジュラージャックと、モジュラージャックの差し込み口を設けた面を露出させる開口部及び、該開口部の埋め込みボックス側に立設しモジュラージャックを係合保持する係合爪を有し、壁面外に位置しつつ埋め込みボックスに取り付けられるカバープレートとを有する構成を開示している。特許文献２は、器具本体の内周面と係合し、器具本体に結合する引掛フック（爪に相当）を開示している。
【先行技術文献】
【特許文献】
【０００４】
【特許文献１】特開平１０−２１０６２８号公報
【特許文献２】特開平０５−０３８０２３号公報
【発明の概要】
【発明が解決しようとする課題】
【０００５】
しかしながら特許文献１または２に開示されている構成を応用して接続部品（コネクタ）を筐体内に保持する構成では、多くの部品点数を必要とし、コストダウンが困難である。
【課題を解決するための手段】
【０００６】
本願に開示する電子機器は、筐体と、電気接点を備えた接続部品と、前記接続部品を保持し、前記筐体に固定される保持部材とを備え、前記保持部材は、前記接続部品を配置可能な空間を有し、前記空間を挟んで互いに対向するように一対の係合部を備え、前記一対の係合部は、弾性変形可能であり、前記筐体は、前記一対の係合部間の間隙が拡大する方向への前記一対の係合部の変形を規制する規制部を備えたものである。
【発明の効果】
【０００７】
本願の開示によれば、少ない部品点数で接続部品を筐体内に保持することができる。
【図面の簡単な説明】
【０００８】
【図１】実施の形態にかかるノートパソコンの斜視図
【図２】第１の筐体の平面図
【図３】端子近傍の要部断面図
【図４】端子近傍の要部側面図（変形例）
【図５】端子近傍の要部断面図（変形例）
【発明を実施するための形態】
【０００９】
（実施の形態）
〔１．電子機器の構成〕
図１は、本実施の形態にかかる電子機器の一例であるノートパソコンの外観を示す斜視図である。なお、本実施の形態では、電子機器の一例としてノートパソコンを挙げたが、少なくとも各種ケーブル等を接続可能な端子を備えた機器であればよい。
【００１０】
図１に示すように、ノートパソコンは、第１の筐体１と第２の筐体２とを備えている。第１の筐体１は、各種電気素子が実装された回路基板やハードディスクドライブなどを内蔵している。第２の筐体２は、液晶ディスプレイ４を備えている。第１の筐体１と第２の筐体２とは、ヒンジ部３によって互いに回転自在に支持されている。ヒンジ部３は、第１の筐体１と第２の筐体２とを矢印ＡまたはＢに示す方向へ回転自在に支持する回転軸を備えている。第１の筐体１の上面１ａには、キーボード５とポインティングデバイス６とが配されている。第１の筐体１の側面１ｂには、端子部１０が配されている。
【００１１】
〔２．端子部の構成〕
図２は、第１の筐体１の平面図である。図２に示すように、端子部１０には、ＬＡＮコネクタ１１とコネクタホルダー１２が配されている。
【００１２】
図３は、図２におけるＺ−Ｚ部の要部断面図である。ＬＡＮコネクタ１１は、略直方体の樹脂筐体内に、ＬＡＮケーブルのプラグを着脱可能な開口部１１ａと、ＬＡＮプラグに備わる電気接点と電気的に接続可能な複数の接点（不図示）とを備えている。なお、本実施の形態におけるＬＡＮコネクタ１１の形状及び材料は一例である。
【００１３】
コネクタホルダー１２は、ＬＡＮコネクタ１１を保持可能である。コネクタホルダー１２は、第１の爪部１２ａ、第２の爪部１２ｂを備えている。第１の爪部１２ａ、第２の爪部１２ｂは、少なくともＬＡＮコネクタ１１を挟持可能な空隙を挟んで互いに対向している。第１の爪部１２ａ、第２の爪部１２ｂは、互いに離間する方向（図３に示す矢印Ｃ及びＤに示す方向）へ弾性変形可能である。第１の爪部１２ａ、第２の爪部１２ｂは、互いに離間する方向へ弾性変形していない状態のときに、ＬＡＮコネクタ１１を保持可能である。第１の爪部１２ａ、第２の爪部１２ｂを互いに離間する方向へ弾性変形させ、両者間の間隙寸法Ｗ１がＬＡＮコネクタ１１の幅寸法Ｗ２よりも大きくすることにより、ＬＡＮコネクタ１１をコネクタホルダー１２から取り外すことができる。コネクタホルダー１２は、ネジ１４によってフレーム１３に固定されている。フレーム１３は、第１の筐体１に一体的に設けられていることが好ましい。
【００１４】
第１の筐体１の底部カバー１ｅには、第１の突起部１ｆ及び第２の突起部１ｇが一体形成されている。第１の突起部１ｆは、第１の爪部１２ａの矢印Ｃに示す方向への変形を規制することができる。第２の突起部１ｇは、第２の爪部１２ｂの矢印Ｄに示す方向への変形を規制することができる。また、第１の突起部１ｆ及び第２の突起部１ｇは、第１の爪部１２ａ及び第２の爪部１２ｂが変形することによるＬＡＮコネクタ１１の脱落を防止している。
【００１５】
なお、ＬＡＮコネクタ１１の幅寸法Ｗ２と、第１の爪部１２ａと第２の爪部１２ｂとの間隙寸法Ｗ１とは、
Ｗ１＜Ｗ２
の関係を有する。間隙寸法Ｗ１は、第１の爪部１２ａと第２の爪部１２ｂが弾性変形していないときの寸法である。これにより、ＬＡＮコネクタ１１は、第１の爪部１２ａと第２の爪部１２ｂがそれぞれ矢印Ｃ及びＤに示す方向へ弾性変形していない状態では、コネクタホルダー１２から離脱しない。
【００１６】
また、第１の突起部１ｆと第２の突起部１ｇとの間隙寸法Ｗ４と、第１の爪部１２ａの最外部から第２の爪部１２ｂの最外部までの幅寸法Ｗ３とは、
Ｗ３＜Ｗ４
の関係を有する。幅寸法Ｗ３は、第１の爪部１２ａと第２の爪部１２ｂが弾性変形していないときの寸法である。これにより、第１の爪部１２ａと第２の爪部１２ｂとを、第１の突起部１ｆと第２の突起部１ｇとの間に配置することができる。
【００１７】
また、寸法Ｗ１、Ｗ２、Ｗ３、Ｗ４は、
（Ｗ４−Ｗ３）＜（Ｗ２−Ｗ１）
の関係を有する。すなわち、第１の爪部１２ａ及び第２の爪部１２ｂの変形マージン（Ｗ４−Ｗ３）よりも、第１の爪部１２ａ及び第２の爪部１２ｂとＬＡＮコネクタ１１とのオーバーラップ量（Ｗ２−Ｗ１）を大きくする。これにより、仮に第１の爪部１２ａ及び第２の爪部１２ｂがそれぞれ矢印Ｃ及びＤに示す方向へ変形したとしても、第１の爪部１２ａ及び第２の爪部１２ｂとＬＡＮコネクタ１１との係合が外れないため、ＬＡＮコネクタ１１がコネクタホルダー１２から離脱することを防ぐことができる。
【００１８】
〔３．端子部の変形例〕
図４は、本実施の形態にかかる端子部の変形例を示す要部側面図である。図５は、図４に示す端子部の断面図である。図４及び図５に示す端子部において、図３に示す端子部と同様の構成要素については、同一符号を付与して詳細な説明は省略する。
【００１９】
図４に示す端子部は、ＬＡＮコネクタ２１とＵＳＢコネクタ２２とが第１の筐体１の厚さ方向に並んで配置されている。
【００２０】
図５に示すように、ＬＡＮコネクタ２１は、図３に示す構成と同様にコネクタホルダー２３に保持されている。コネクタホルダー２３は、互いに対向する第１の爪部２３ａ及び第２の爪部２３ｂを備えている。第１の爪部２３ａは、第１の突起部１ｆによって矢印Ｆに示す方向の変形が規制されている。第２の突起部２３ｂは、第２の突起部１ｇによって矢印Ｇに示す方向の変形が規制されている。コネクタホルダー２３の上部（上部カバー１ｄ側）には、プリント基板２４が配されている。プリント基板２４には、ＵＳＢコネクタ２２が電気的及び機械的に固定されている。プリント基板２４は、コネクタホルダー２３の矢印Ｅに示す方向への変位を規制している。
【００２１】
なお、ＬＡＮコネクタ２１の幅寸法Ｗ２と、第１の爪部２３ａと第２の爪部２３ｂとの間隙寸法Ｗ１とは、
Ｗ１＜Ｗ２
の関係を有する。間隙寸法Ｗ１は、第１の爪部２３ａと第２の爪部２３ｂが弾性変形していないときの寸法である。これにより、ＬＡＮコネクタ２１は、第１の爪部２３ａと第２の爪部２３ｂが弾性変形していない状態では、コネクタホルダー２３から離脱しない。
【００２２】
また、第１の突起部１ｆと第２の突起部１ｇとの間隙寸法Ｗ４と、第１の爪部２３ａの最外部と第２の爪部２３ｂの最外部との幅寸法Ｗ３とは、
Ｗ３＜Ｗ４
の関係を有する。幅寸法Ｗ３は、第１の爪部２３ａと第２の爪部２３ｂが弾性変形していないときの寸法である。これにより、第１の爪部２３ａと第２の爪部２３ｂとを、第１の突起部１ｆと第２の突起部１ｇとの間に配置することができる。
【００２３】
また、寸法Ｗ１、Ｗ２、Ｗ３、Ｗ４は、
（Ｗ４−Ｗ３）＜（Ｗ２−Ｗ１）
の関係を有する。すなわち、第１の爪部２３ａ及び第２の爪部２３ｂの変形マージン（Ｗ４−Ｗ３）よりも、第１の爪部２３ａ及び第２の爪部２３ｂとＬＡＮコネクタ２１とのオーバーラップ量（Ｗ２−Ｗ１）を大きくする。これにより、仮に第１の爪部２３ａ及び第２の爪部２３ｂがそれぞれ矢印Ｃ及びＤに示す方向へ変形したとしても、第１の爪部２３ａ及び第２の爪部２３ｂとＬＡＮコネクタ２１との係合が外れないため、ＬＡＮコネクタ２１がコネクタホルダー２３から離脱することを防ぐことができる。
【００２４】
コネクタホルダー２３とプリント基板２４との隙間Ｗ１１と、第１の爪部２３ａまたは第２の爪部２３ｂと第１の突起部１ｆまたは第２の突起部１ｇとのオーバーラップ量Ｗ１２とは、
Ｗ１１＜Ｗ１２
の関係を有する。なお、隙間Ｗ１１は、コネクタホルダー２３の下端が第１の爪部２３ａ及び第２の爪部２３ｂが底部カバー１ｅに当接しているときの、コネクタホルダー２３とプリント基板２４との隙間である。
【００２５】
これにより、第１の筐体１に対して衝撃などの外力が印加され、コネクタホルダー２３が矢印Ｅに示す方向へ変位しようとしても、プリント基板２４によって矢印Ｅに示す方向への変位が規制される。
【００２６】
また、コネクタホルダー２３がプリント基板２４に当接する位置まで変位したとしても、第１の爪部２３ａ及び第２の爪部２３ｂは第１の突起部１ｆ及び第２の突起部１ｇにオーバーラップしているため、第１の爪部２３ａの矢印Ｃに示す方向への変形が規制され、第２の爪部２３ｂの矢印Ｄに示す方向への変形が規制される状態を維持する。したがって、ＬＡＮコネクタ２１がコネクタホルダー２３から離脱することを防ぐことができる。
【００２７】
〔４．実施の形態の効果、他〕
本実施の形態によれば、第１の筐体１におけるＬＡＮコネクタ１１の装着部に第１の突起部１１ｆ及び第２の突起部１１ｇを備えたことにより、ＬＡＮコネクタ１１を保持する第１の爪部１２ａ及び第２の爪部１２ｂの弾性変形を規制することができる。よって、第１の筐体１に対して外力が印加されたとしても、第１の突起部１１ｆ及び第２の突起部１１ｇによって第１の爪部１２ａ及び第２の爪部１２ｂの弾性変形が規制されるため、ＬＡＮコネクタ１１がコネクタホルダー１２から離脱することがほとんどない。したがって、第１の筐体１に第１の突起部１１ｆ及び第２の突起部１１ｇを設けるという簡単な構成で、ＬＡＮコネクタ１１をコネクタホルダー１２へ安定して保持することができる。また、第１の突起部１ｆ及び第２の突起部１ｇは、第１の筐体１の底部カバー１ｅに一体的に設けられているため、少ない部品点数で実現することができる。
【００２８】
また、本実施の形態にかかる変形例によれば、プリント基板２４でコネクタホルダー２３の矢印Ｅに示す方向への位置を規制する構成としたので、コネクタホルダー２３の矢印Ｅに示す方向への規制手段を別途設ける必要がなく、少ない部品点数で実現することができる。
【００２９】
また、本実施の形態では、第１の筐体１の底部カバー１ｅに第１の突起部１１ｆ及び第２の突起部１１ｇを設ける構成としたので、組立性を向上できる。すなわち、ＬＡＮコネクタ１１が保持されたコネクタホルダー１２を第１の筐体１内に固定する際は、第１の筐体１における上部カバー１ｄが未装着の状態で、まず第１の爪部１２ａ及び第２の爪部１２ｂが第１の突起部１ｆ及び第２の突起部１ｇの間に位置するようにコネクタホルダー１２を第１の筐体１内に挿入する。次に、第１の筐体１内に矢印Ｆ及びＧに示すようにドライバーを挿入し、ネジ１４をコネクタホルダー１２及びフレーム１４に螺結する。本実施の形態では、ネジ１４を、底部カバー１ｅよりも上側に位置するフレーム１３に螺結する構成としたので、ドライバーがネジ１４に届きやすく、またネジ１４をコネクタホルダー１２に設けられた所定の孔部に挿入しやすい。仮に、底部カバー１ｅにおいてコネクタホルダー１２をネジ止めする構成では、第１の筐体１の上面１ａ側からネジ止め位置までの距離が長くなり、ネジ１４をコネクタホルダー１２の孔部に挿入するのは困難であるとともに、孔部に挿入されたネジの頭部を上面１ａ側から目視しにくいためドライバーをネジの頭部に嵌合させるのが困難である。
【００３０】
なお、本実施の形態では、コネクタホルダー１２で保持する接続部品はＬＡＮコネクタ１１としたが、他の接続部品を保持することもできる。コネクタホルダー１２は、例えば、ＵＳＢコネクタ、外部ディスプレイコネクタなどを保持することができる。
【００３１】
また、本実施の形態では、コネクタホルダー１２は、フレーム１３にネジ１４で固定する構成としたが、固定手段はネジに限らない。例えば、フレーム１３に略円筒状の突起を設け、コネクタホルダー１２に突起を挿入可能な孔部または凹部を設けて、孔部または凹部に突起を圧入嵌合させる構成とすることにより、コネクタホルダー１２をフレーム１３に固定することができる。
【００３２】
また、本実施の形態では、第１の突起部１ｆ及び第２の突起部１ｇは、第１の筐体１の底部カバー１ｅに一体的に設けたが、底部カバー１ｅとは別部材として形成し、底部カバー１ｅに装着する構成としてもよい。
【００３３】
また、本実施の形態の変形例において、コネクタホルダー２３とプリント基板２４との間には寸法Ｗ１１の間隙を有する構成としたが、コネクタホルダー２３とプリント基板２４とは当接していてもよい。
【００３４】
また、本実施の形態の変形例において、コネクタホルダー２３の上部にプリント基板２４を配置する構成としたが、少なくともコネクタホルダー２３において第１の突起部１ｆ及び第２の突起部１ｇに係合している側の反対側に近接対向または当接していれば、プリント基板に限らず他の部材であってもよい。また、プリント基板２４に搭載されているのはＵＳＢコネクタ２２に限らず、他のコネクタであってもよい。
【００３５】
また、本実施の形態における第１の筐体は、本発明の筐体の一例である。本実施の形態におけるＬＡＮコネクタ１１は、本発明の接続部品の一例である。本実施の形態におけるコネクタホルダー１２は、本発明の保持部材の一例である。本実施の形態における第１の爪部１２ａ及び第２の爪部１２ｂは、本発明の一対の係合部の一例である。本実施の形態における第１の突起部１ｆ及び第２の突起部１ｇは、本発明の規制部の一例である。
【産業上の利用可能性】
【００３６】
本発明は、端子を備えた電子機器に有用である。
【符号の説明】
【００３７】
１  第１の筐体
１ｆ  第１の突起部
１ｇ  第２の突起部
１１  ＬＡＮコネクタ
１２、２３  コネクタホルダー
１２ａ、２３ａ  第１の爪部
１２ｂ、２３ｂ  第２の爪部
【図１】
2011198564.tif 000003
【図２】
2011198564.tif 000004
【図３】
2011198564.tif 000005
【図４】
2011198564.tif 000006
【図５】
2011198564.tif 000007